(57)【要約】【課題】簡単な構造でコンパクトであり、傾斜容器に取り付けても自立性を維持し、子供等には開けることが困難で安全性が高い安全キャプを提供する。【解決手段】天面１４ａと側面部１４ｂを有する有底筒状の外キャップ１４に、内キャップ１２が挿入されて成る。内キャップ１２と外キャップ１４は、挿入方向に係合状態と解除状態の間を互いに摺動可能であり、挿入方向を軸とする軸周りに互いに回転可能である。内キャップ１２には、容器本体４８の注出口５０に形成された雄ネジ５２に螺合する雌ネジ２８と、弾性を有し外キャップ１４を内キャップ１２から離れる方向に付勢するラチェット爪１８を備える。ラチェット爪１８は、締め方向に対向する当接面１８ｂを有する。外キャップ１４には、ラチェット爪１８の当接面１８ｂと対向するラチェット溝３２を備える。内キャップ１２と外キャップ１４の互いに対面する面の一部に、係止溝２０または係止突起３６を有する。【選択図】図１
2019006466.tif 000002
【特許請求の範囲】
【請求項１】
天面と側面部を有する有底筒状の外キャップに、前記外キャップより少し小さい内キャップが挿入され重ねられて設けられ、容器本体の注出口に着脱可能な安全キャップであって、
前記内キャップと前記外キャップは、挿入方向に深い係合状態と、挿入方向に浅い解除状態の間を互いに摺動可能であり、前記挿入方向を軸とする軸周りに互いに回転可能であり、
前記内キャップには、前記容器本体の前記注出口に形成された雄ネジに螺合する雌ネジと、弾性を有し前記外キャップを前記内キャップから離れる方向に付勢し前記容器本体に螺合する締め方向に対向する当接面を有するラチェット爪が設けられ、
前記外キャップには、前記ラチェット爪の前記当接面と対向するラチェット溝が設けられ、
前記内キャップと前記外キャップの互いに対面する面の一部には、挿入方向に深い前記係合状態で互いに係合し、挿入方向に浅い前記解除状態では係合が解除される係止溝または係止突起が設けられていることを特徴とする安全キャップ。
【請求項２】
前記係止溝または前記係止突起には、前記安全キャップの螺合を解除する開き方向で互いに当接する側面に、前記開き方向に対して傾斜するすべり面が設けられている請求項１記載の安全キャップ。
【請求項３】
前記内キャップには、前記外キャップから離れる凹部が形成され、前記凹部の底面に、前記ラチェット爪が設けられ、前記ラチェット爪の先端部には前記当接面が設けられ、前記ラチェット爪の前記先端部は前記凹部から出て前記外キャップに向かって突出する請求項１記載の安全キャップ。
【請求項４】
前記内キャップと前記外キャップの、軸周りの回転方向の所定位置で、前記ラチェット爪の前記当接面が前記ラチェット溝に当接し、この所定位置では前記係止溝と前記係止突起が係合する請求項１記載の安全キャップ。
【請求項５】
前記内キャップは、前記外キャップの前記天面に重ねられる天面を有し、前記内キャップの前記天面の周縁部に前記凹部が一周して設けられ、前記凹部の前記底面には円周方向に等間隔に前記ラチェット爪が設けられ、前記凹部の底面に対してＬ字状に略直角に位置する筒状の横面と、前記内キャップの前記天面との間の角部には、前記係止溝が略矩形に切り欠かれて円周方向に等間隔に設けられ、前記外キャップには、前記ラチェット爪に係合する前記ラチェット溝と、前記係止溝に係合する前記係止突起が設けられている請求項１記載の安全キャップ。
【発明の詳細な説明】
【技術分野】
【０００１】
この発明は、容器本体の取出口に取り付けられ、不用意な開封を防ぐ構造を有する安全キャップに関する。
【背景技術】
【０００２】
従来、薬剤等を入れる容器本体の取出口を密封するためのキャップには、子供等が不用意に開けることを防ぐ機能を有する安全キャップがある。安全キャップは、例えば、外蓋と内蓋とを組み合わせて成り、外蓋は、弾性片によって内蓋に対して上方位置に付勢され、付勢力に抗して外蓋を下方に押し下げることにより外蓋と内蓋とが一体回転するように係合する。このような安全キャップによれば、外蓋を下方に押し下げながら回転させて開封する操作が子供等には困難であり、不用意に開封することを防ぐことができる。従来、安全キャップにはいろいろなものが提案されている。
【０００３】
例えば、特許文献１に開示されているＣＲ機構を具備ずる安全キャップは、内蓋の天板部に、係合凸部と一方向係合段部が、上方に突出して設けられている。外蓋の天板部の下面には、斜め下方に突設された弾性係合片と、下方に突出する係合凸部が設けられている。内蓋は外蓋内に収容され、外蓋は内蓋に対して軸方向に移動可能である。弾性係合片の先端部は、内蓋の天板部の上面に当接され、その付勢力によって外蓋は内蓋に対して上方に付勢されている。開封する時は、外蓋を付勢力に抗して下方に押し込み、内蓋の係合凸部と外蓋の係合凸部を係合させ、外蓋の回転操作によって内蓋を一体的に回転させる。なお、上方位置にある時は、係合凸部の係合は解除される。
【０００４】
また、特許文献２に開示されている安全蓋は、内蓋のスカート壁の外面には第１のラチェット爪が形成され、内蓋の天面壁には上方に突出する第１の係合突起が設けられている。外蓋のスカート壁の内面には第２のラチェット爪が形成されている。外蓋の天面壁の内面中央部には、下方に突出する第２の係合突起が設けられ、第２の係合突起よりも半径方向外側には弾性隔離片が形成されている弾性隔離片の下方への突出量は第２の係合突起の下方への突出量の略３倍である。弾性隔離片の先端は、内蓋の天面壁の外面の段部に当接され、その付勢力によって外蓋は内蓋に対して上方に付勢されている。開封する時は、特許文献１と同様の操作で行う。
【先行技術文献】
【特許文献】
【０００５】
【特許文献１】特開２０１６−２０４０２１号公報
【特許文献２】特開昭６３−１５２５５５号公報
【発明の概要】
【発明が解決しようとする課題】
【０００６】
上記背景技術の場合、特許文献１と特許文献２ともに、弾性係合片の基端部が外蓋の円面部に設けられ先端が内蓋の天面部に当接しているため、外蓋と内蓋の間隔が大きく、安全キャップの高さをコンパクトに小さくすることができないものである。一方、安全キャップの高さを小さくすると、弾性係合片を長くすることができず、弾性を十分に確保することができない。また、弾性係合片が外蓋の天板部の内側面に設けられているため金型構造が複雑であり、また弾性係合片の数や形状を自由に設けることが難しいという問題もある。
【０００７】
この発明は、上記背景技術の問題点に鑑みてなされたものであり、簡単な構造でコンパクトであり、傾斜容器に取り付けても自立性を維持し、また子供等には開けることが困難で安全性が高い安全キャプを提供することを目的とする。
【課題を解決するための手段】
【０００８】
本発明は、天面と側面部を有する有底筒状の外キャップに、前記外キャップより少し小さい内キャップが挿入され重ねられて設けられ、容器本体の注出口に着脱可能な安全キャップである。前記内キャップと前記外キャップは、挿入方向に深い係合状態と、挿入方向に浅い解除状態の間を互いに摺動可能であり、前記挿入方向を軸とする軸周りに互いに回転可能である。前記内キャップには、前記容器本体の前記注出口に形成された雄ネジに螺合する雌ネジと、弾性を有し前記外キャップを前記内キャップから離れる方向に付勢し且つ前記安全キャップを前記容器本体に螺合する締め方向に対向する当接面を有するラチェット爪が設けられている。前記外キャップには、前記ラチェット爪の前記当接面と対向するラチェット溝が設けられている。前記内キャップと前記外キャップの互いに対面する面の一部には、挿入方向に深い前記係合状態で互いに係合し、挿入方向に浅い前記解除状態では係合が解除される係止溝または係止突起が設けられている。
【０００９】
また、前記係合状態で互いに係合し前記解除状態では係合しない前記係止溝または前記係止突起には、前記安全キャップの螺合を解除する開き方向で互いに当接する側面に、前記開き方向に対して傾斜するすべり面が設けられている。
【００１０】
また、前記内キャップには、前記外キャップから離れる凹部が形成され、前記凹部の底面に、前記ラチェット爪が設けられ、前記ラチェット爪の先端部には前記当接面が設けられ、前記ラチェット爪の前記先端部は前記凹部から出て前記外キャップに向かって突出する。
【００１１】
また、前記内キャップと前記外キャップの、軸周りの回転方向の所定位置で、前記ラチェット爪の前記当接面が前記ラチェット溝に当接し、この所定位置では前記係止溝と前記係止突起が係合する。
【００１２】
また、前記内キャップは、前記外キャップの前記天面に重ねられる天面を有し、前記内キャップの前記天面の周縁部に前記凹部が一周して設けられ、前記凹部の前記底面には円周方向に等間隔に前記ラチェット爪が設けられ、前記凹部の底面に対してＬ字状に略直角に位置する筒状の横面と、前記内キャップの前記天面との間の角部には、前記係止溝が略矩形に切り欠かれて円周方向に等間隔に設けられている。前記外キャップには、前記ラチェット爪に係合する前記ラチェット溝と、前記係止溝に係合する前記係止突起が設けられている。
【発明の効果】
【００１３】
本発明の安全キャップは、簡単な構造でコンパクトであり、傾斜容器に取り付けても自立性を維持することができる。また子供等には開けることが困難で、安全性が高いものである。
【図面の簡単な説明】
【００１４】
【図１】この発明の一実施形態の安全キャップの斜視図である。
【図２】この実施形態の安全キャップの解除状態を示す縦断面図である。
【図３】この実施形態の安全キャップの係合状態を示す縦断面図である。
【図４】この実施形態の安全キャップの天面側から見た斜視図である。
【図５】この実施形態の安全キャップの開口縁部側から見た斜視図である。
【図６】この実施形態の安全キャップの使用状態を示す正面図である。
【図７】この実施形態の安全キャップの使用状態を示す拡大縦断面図である。
【発明を実施するための形態】
【００１５】
以下、この発明の実施形態について図面に基づいて説明する。図１〜図５はこの発明の一実施形態を示すもので、この実施形態の安全キャップ１０は、有底筒状の外キャップ１４に、外キャップ１４より少し小さい内キャップ１２が挿入され重ねられて設けられている。
【００１６】
まず、内キャップ１２について説明する。内キャップ１２は、後述する容器本体４８の注出口５０を覆う円板状の天面１２ａと、天面１２ａの周縁部から下方に延設された円筒状の側面部１２ｂが設けられている。天面１２ａの周縁部には、側面部１２ｂとの角部をＬ字状に切り欠く凹部１６が一周して設けられている。凹部１６の、天面１２ａよりも低い位置にあり天面１２ａに対して略平行な底面１６ａは、直径方向の幅が一定である。
【００１７】
凹部１６の底面１６ａには、円周方向に等間隔に４個のラチェット爪１８が設けられている。ラチェット爪１８は、断面形状が矩形の棒部材が、細長く、円周方向に沿って設けられたものであり、ラチェット爪１８の先端部１８ａは、天面１２ａから見て反時計回り方向に突出し、底面１６ａから離れて天面１２ａよりも突出している。ラチェット爪１８の先端部１８ａは、円形の天面１２ａの中心に垂直に立てた線と平行であり、天面１２ａの直径方向に対しても平行で中心軸を通過しない平面で形成された当接面１８ｂであり、後述する外キャップ１４のラチェット溝３２に当接する。
【００１８】
天面１２ａと、凹部１６の底面１６ａに対してＬ字状に直角に位置する筒状の横面１６ｂとの間の角部には、略矩形に切り欠いた係止溝２０が複数個設けられ、ここでは８個の係止溝２０が円周方向に等間隔に設けられている。係止溝２０は、天面１２ａに対して平行で凹部１６の底面１６ａよりは天面１２ａに近い位置にある略矩形の底面２０ａと、底面２０ａの、凹部１６横面１６ｂに一致する一辺以外の３辺に連続する３個の側面２０ｂで囲まれて形成されている。３個の側面２０ｂのうち、天面１２ａから見て反時計回り方向に位置する側面２０ｂには、天面１２ａとの間の角部が傾斜する平面で面取りされたすべり面２２が形成されている。
【００１９】
側面部１２ｂの外側面は、凹部１６の少し下方から軸方向長さの中間付近にかけて、僅かに径が小さい小径部２４が設けられている。側面部１２ｂの、天面１２ａと反対側の開口縁部１２ｃ付近には、外キャップ１４に取り付ける取付用突条２６が一周して設けられている。取付用突条２６は、側面部１２ｂの外側面に突出して設けられ、取付用突条２６の開口縁部１２ｃに連接する部分は、外キャップ１４の後述する嵌合フック部４４の先端が差し込まれるくぼみ部２７となり、くぼみ部２７は開口縁部１２ｃを一周して形成されている。側面部１２ｂの内側面には、後述する容器本体４８の注出口５０に形成された雄ネジ５２に螺合する雌ネジ２８が一体に形成されている。
【００２０】
次に、外キャップ１４について説明する。なお、図１に示す外キャップ１４は、図面上の上下を逆にして内キャップ１２に取り付けるものであり、見やすいように上下を逆にして部分的に破断して示している。外キャップ１４は、内キャップ１２の天面１２ａの外側を覆う円板状の天面１４ａと、天面１４ａの周縁部から下方に延設された円筒状の側面部１４ｂが設けられている。
【００２１】
天面１４ａの内側面には、天面１４ａの周縁部で側面部１４ｂとの角部に、凸部３０が一周して設けられている。凸部３０は、天面１４ａに対して略平行な下面３０ａと、下面３０ａの内周縁部に連続し側面部１４ｂと同軸の円筒状である横面３０ｂからなる。下面３０ａには、円周方向に等間隔に、４個のラチェット溝３２が下面３０ａを切り欠いて設けられている。ラチェット溝３２は、内キャップ１２のラチェット爪１８が差し込まれて係止するものであり、円形の天面１４ａの中心に垂直に立てた線と平行であり、天面１４ａの直径方向に対しても平行であって、天面１４ａの中心軸を通過しない平面である当接面３２ａを備えている。当接面３２ａは、凸部３０の下面３０ａを横断して形成され、一定の形状のＶ字状の溝部であり、天面１４ａの内側面から見て時計回り方向に対面する面である。凸部３０の下面３０ａの、ラチェット溝３２の当接面３２ａに隣接する部分が、僅かに下面３０ａから厚くなり、当接面３２ａの面積を大きくしている。
【００２２】
天面１４ａの内側面の周縁部には、係止突起３６が複数個設けられ、ここでは８個の係止突起３６が円周方向に等間隔で設けられている。係止突起３６は、天面１４ａに対して平行で凸部３０の下面３０ａよりは少し突出する高い位置にある略矩形の頂面３６ａと、頂面３６ａの周囲４辺に連続する４つの側面３６ｂが設けられている。４つの側面３６ｂのうち、天面１４ａの内側面から見て時計回り方向に向いた一側面３６ｂには、頂面３６ａとの間の角部が傾斜する平面で面取りされたすべり面３８が形成されている。天面１４ａの内側面の中央には、内キャップ１２の天面１２ａに当接して係止突起３６と係止溝２０の係合量を制限する凸部４０が設けられている。
【００２３】
側面部１４ｂの外周面には、安全キャップ１０を開閉する際に回しやすいように、軸方向に形成された浅い溝４２が連続して一周して設けられている。側面部１４ｂの、天面１４ａと反対側の開口縁部１４ｃには、内キャップ１２の開口縁部１２ｃの取付用突条２６が乗り越えて係止される嵌合フック部４４が、一周して設けられている。嵌合フック部４４は、側面部１２ｂの内周面に突出して設けられている。
【００２４】
次に、この実施形態の安全キャップ１０の、内キャップ１２と外キャップ１４を重ねて取り付ける方法について説明する。先ず、外キャップ１４の開口縁部１４ｃから中側に、内キャップ１２を入れる。内キャップ１２を入れる方向は、天面１２ａが外キャップ１４の天面１４ａに重なるようにする。内キャップ１２の取付用突条２６は、外キャップ１４の嵌合フック部４４の内径よりもわずかに大きく、当接して入らないが、強い力で押し込むと内キャップ１２と外キャップ１４が弾性変形して取付用突条２６が嵌合フック部４４を通過し、通過した後に弾性変形が復元し、取付用突条２６が嵌合フック部４４に係合されて抜け落ちることがない。これにより内キャップ１２と外キャップ１４の取り付けが完了し、図２、図４、図５に示すように安全キャップ１０となる。この時、図２に示すように、内キャップ１２のラチェット爪１８先端部１８ａは、外キャップ１４の天面１４ａの凸部３０の下面３０ａに当接し、外キャップ１４を内キャップ１２から離れる方向へ付勢する。しかし、内キャップ１２の取付用突条２６に外キャップ１４の嵌合フック部４４が係止されているため、離れることがない。
【００２５】
なお、図２は、外キャップ１４に内キャップ１２に近づく方向に力を加えていない状態を示す図である。この状態では、外キャップ１４はラチェット爪１８に付勢されて押し上げられ、天面１４ａは内キャップ１２の天面１２ａから離間する解除状態となる。解除状態では係止突起３６は係止溝２０に差し込まれず、外キャップ１４を雌ネジ２８の螺合を解除する開き方向に回した時に内キャップ１２が一体に回ることがない。これにより安全キャップ１０を容器本体４８から外すことができない。しかし、雌ネジ２８を螺合する締め方向に回した時は、外キャップ１４のラチェット溝３２に内キャップ１２のラチェット爪１８が差し込まれ、ラチェット溝３２の当接面３２ａとラチェット爪１８の先端部１８ａが当接し、同調して一体に回る。これにより安全キャップ１０を容器本体４８に取り付けることはできる。
【００２６】
図３は、矢印に示すように外キャップ１４に内キャップ１２に近づく方向に力を加えた状態を示す図である。この状態では、ラチェット爪１８が弾性変形し、外キャップ１４の天面１４ａと内キャップ１２の天面１２ａが重ねられる係合状態となる。係合状態では天面１４ａの係止突起３６が、天面１２ａの係止溝２０に差し込まれ、外キャップ１４を開き方向と締め方向のいずれの方向に回しても内キャップ１２が同調して一体に回る。これにより、安全キャップ１０を容器本体４８から外すことができ、取り付けることもできる。外キャップ１４を内キャップ１２に近づける力が弱い時は、ラチェット爪１８の弾性力により内キャップ１２から少し離れ、係合状態から開き状態に向う。内キャップ１２の係止溝２０と、外キャップ１４の係止突起３６の差し込み量が小さくなり、外キャップ１４を開き方向に回したとき、係止突起３６のすべり面３８と係止溝２０のすべり面２２が当接し、離れる方向にせり上げられて係合状態が解除される。係止突起３６と係止溝２０が外れると、外キャップ１４を雌ネジ２８の螺合を解除する開き方向に回した時に内キャップ１２が一体に回ることがない。これにより安全キャップ１０を容器本体４８から外すことができなくなる。
【００２７】
次に、この実施形態の安全キャップ１０の使用方法について説明する。安全キャップ１０は、例えば図６、図７に示すように、肩等に薬液を塗布する傾斜容器４６に取り付けて使用する。ここで、傾斜容器４６について説明する。傾斜容器４６は、ＰＥやＰＰ，ＰＥＴ等の合成樹脂製の有底筒状の容器本体４８が設けられ、容器本体４８の正立状態で上端部には、傾斜する円筒形の注出口５０が一体に形成されている。注出口５０は、軸方向が垂直方向に対して鋭角に位置している。注出口５０の外周面には、安全キャップ１０が螺合される雄ネジ５２が形成されている。
【００２８】
容器本体４８の注出口５０の先端部には、中栓部材５４が取り付けられている。中栓部材５４は、注出口５０の内周面に嵌合される内筒部５６が設けられ、内筒部５６の外周面には注出口５０の上端部に当接するフランジ部５８が一周して一体に形成されている。内筒部５６の、フランジ部５８を超えて注出口５０から突出する先端部分には、湾曲した円板状の塗布体５９が中栓リング５７で取り付けられている。塗布体５９は、収容している薬液を少量ずつ滲出させる複数の細孔等を有している。内筒部５６の内周面には、塗布体５９よりも少しフランジ部５８に近い位置に、内筒部５６を閉鎖する板部６０が設けられている。板部６０の中央には、開口部６２が形成されている。
【００２９】
中栓部材５４の内側には、注出弁６４が設けられている。注出弁６４の一端部には、中栓部材５４の開口部６２から外側に突出する径が細い突起部６６が形成され、突起部６６の側面には中栓部材５４の開口部６２に密着する弁部６８が一周して設けられている。注出弁６４の反対側の端部には、螺旋状の弾性体７０が一体に設けられている。弾性体７０の先端は、中栓部材５４の内筒部５６に係止され、抜け落ちることがない。
【００３０】
安全キャップ１０は、傾斜容器４６の注出口５０に、予め容器本体４８に取り付けられている中栓部材５４と塗布体５９、弾性体７０を覆って取り付けられる。安全キャップ１０を取り付ける時は、安全キャップ１０を注出口５０にかぶせ、注出口５０の雄ネジ５２に雌ネジ２８が螺合する締め方向、つまり外キャップ１４の天面１４ａから見て時計回りに外キャップ１４を回す。すると、外キャップ１４のラチェット溝３２に内キャップ１２のラチェット爪１８が差し込まれてラチェット溝３２の当接面３２ａとラチェット爪１８の先端部１８ａが当接して、同調して一体に回る。これにより、注出口５０の雄ネジ５２に内キャップ１２の雌ネジ２８が螺合し、安全キャップ１０を傾斜容器４６に取り付ける。安全キャップ１０の外キャップ１４の開口縁部１４ｃと、容器本体４８の間には隙間があり、外キャップ１４は、内キャップ１２に対して挿入方向に摺動可能である。
【００３１】
傾斜容器４６から収容物である薬液等を取り出して使用する時は、注出口５０の雄ネジ５２と雌ネジ２８の螺合を解除す開き方向、つまり外キャップ１４の天面１４ａから見て反時計回りに外キャップ１４を回す。しかし、外キャップ１４はラチェット爪１８により付勢されて押し上げられ、外キャップ１４の天面１４ａが内キャップ１２の天面１２ａから離間する解除状態となっており、係止突起３６は係止溝２０に差し込まれず、外キャップ１４を回しても内キャップ１２が一体に回ることがない。これにより、安全キャップ１０を傾斜容器４６から外すことができない。
【００３２】
一方、外キャップ１４に内キャップ１２に近づく方向に力を加えると、ラチェット爪１８が弾性変形し、外キャップ１４の天面１４ａと内キャップ１２の天面１２ａが重ねられる係合状態となる。係合状態では外キャップ１４の係止突起３６が、内キャップ１２の係止溝２０に差し込まれ、外キャップ１４を回すと内キャップ１２が一体に回る。この状態で外キャップ１４の天面１４ａから見て反時計回りに外キャップ１４を回すと、注出口５０の雄ネジ５２と雌ネジ２８の螺合が解除され、安全キャップ１０を傾斜容器４６から外すことができる。なお、外キャップ１４を内キャップ１２に近づける力が弱い時は、外キャップ１４を開き方向に回したとき、係止突起３６のすべり面３８と係止溝２０のすべり面２２が当接して離れる方向にせり上げられて係合状態が解除され、一体に回らなくなる。これにより安全キャップ１０を容器本体４８から外すことができなくなる。
【００３３】
傾斜容器４６から安全キャップ１０を外した後、塗布体５９が露出する。傾斜容器４６を逆さまにして、皮膚等に塗布体５９を押し付ける。すると、塗布体５９が弾性変形して内側に位置する注出弁６４が押し込まれ、注出弁６４の弁部６８が開口部６２から開き、開口部６２に薬液が流れ、塗布体５９の細孔から滲出し、皮膚に塗布することができる。
【００３４】
使用後は、再び容器本体４８の注出口５０に安全キャップ１０を被せ、注出口５０の雄ネジ５２と雌ネジ２８を螺合する締め方向、つまり外キャップ１４の天面１４ａから見て時計回りに外キャップ１４を回す。締め方向に回した時は、外キャップ１４を内キャップ１２に近づく方向に力を加えなくても、外キャップ１４のラチェット溝３２に内キャップ１２のラチェット爪１８が差し込まれ、ラチェット溝３２の当接面３２ａとラチェット爪１８の先端部１８ａが当接し、同調して一体に回る。これにより安全キャップ１０を容器本体４８に取り付けることができる。
【００３５】
この実施形態の安全キャップ１０によれば、簡単な構造でコンパクトであり、傾斜容器４６に取り付けても自立性を維持することができる。安全キャップ１０を傾斜容器４６に取り付ける場合、安全キャップ１０が軸方向に長いと傾斜容器４６の重心が外側に位置して不安定になるが、この実施形態の安全キャップ１０は軸方向に短いため安定して自立させることができる。ラチェット爪１８は天面１２ａよりも内キャップ１２から離れた段部１６の底面１６ａに設けられているため、内キャップ１２と外キャップ１４の高さ方向のクリアランスを小さくすることが可能で、安全キャップ１０の高さを低く抑えることができる。
【００３６】
係止溝２０と係止突起３６の、開き方向に回したときに互いに対面する側面２０ｂ，側面３６ｂに形成されたすべり面２２，３８により、外キャップ１４を押す力が弱い場合はせり上げられて係合状態が解除されるため、強く押え続けながら回さないと取り外すことができず、子供達には困難である。子供等には安全キャップ１０を開けることが困難で、安全性が高いものである。
【００３７】
安全キャップ１０を締め方向に回すと、ラチェット爪１８はラチェット溝３２に当接し、外キャップ１４を内キャップ１２に押さなくても回転が伝達されるため、通常の使用で消費者が安全キャップ１０を閉める時は、安全キャップ１０を押え込まなくても閉めることができて使い易い。
【００３８】
安全キャップ１０を押えながら回すと、ラチェット爪１８とラチェット溝３２が当接した位置でラチェット溝３２と係止溝２０も係合する位置に設けられているため、安全キャップ１０を押しながら締め方向に回す時は、ラチェット爪１８の当接だけでなく、係止突起３６と係止溝２０が係合するようになり、高い強度でかみ合うため、強いトルクで締め込む場合にも破損の恐れがなく安全である。例えば、工場の充填ライン等での取り付けで、強いトルクが加わる時には、安全キャップ１０を押えながら締めることで、ラチェット爪１８に過大な負荷をかけずに十分なトルクで傾斜容器４６に締め込むことが可能である。
【００３９】
ラチェット爪１８を内キャップ１２の天面１２ａの周縁部に設けることにより、ラチェット爪１８によって外キャップ１４を天面１４ａ及び側面部１４ｂで規制することができ、外キャップ１４が傾きにくくなり安定した状態で回すことができる。また、安全キャップ１０を締め方向に強く回しても、ラチェット爪１８が天面１４ａと側面部１４ｂで変形することなく規制されるため、強い締めトルクを保持することができる。
【００４０】
ラチェット爪１８は天面１２ａの周縁部に沿って設けられ、且つ天面１２ａよりも内キャップ１２から離れた段部１６の底面１６ａに設けられているため、ラチェット爪１８の長さを大きく取ることが可能で、弾性変形しやすいものとなり、外キャップ１４の内キャップ１２に対する摺動を容易にし、係合状態と解除状態の切り替えを確実に行うことができる。
【００４１】
また、ラチェット爪１８を内キャップ１２の天面１２ａ周縁部に設けることで、金型構造を簡単にすることが可能である。
【００４２】
なお、この発明の安全キャップは、前記実施の形態に限定されるものではなく、各部材の形状等適宜変更可能であり、ラチェット爪とラチェット溝や、係止突起と係止溝の数や形状等、大きさ、配置等、互いに確実に係合するものであれば良い。安全キャップを取り付けて使用する容器本体は、傾斜容器以外にいろいろな容器に使用することができる。塗布体が設けられていない種々の形状の注出口にも取り付けて使用することができる。
【符号の説明】
【００４３】
１０  安全キャップ
１２  内キャップ
１２ａ，１４ａ  天面
１２ｂ，１４ｂ  側面部
１４  外キャップ
１６  凹部
１６ａ  底面
１８  ラチェット爪
１８ａ  先端部
１８ｂ  当接面
２０  係止溝
２２  すべり面
２８  雌ネジ
３２  ラチェット溝
３２ａ  当接面
３６  係止突起
３８  すべり面
４８  容器本体
５０  注出口
５２  雄ネジ
【図１】
2019006466.tif 000003
【図２】
2019006466.tif 000004
【図３】
2019006466.tif 000005
【図４】
2019006466.tif 000006
【図５】
2019006466.tif 000007
【図６】
2019006466.tif 000008
【図７】
2019006466.tif 000009